(57)【要約】【課題】本発明は、シンプルな回路構成でありながら、停電時、不必要に照明手段を点灯させない停電時電力供給装置及び照明装置を提供することを目的とする。【解決手段】停電時照明点灯装置１は、補助電源１１と補助電源起動スイッチ１２を含む補助電源回路１０、商用電源１１１と接続する主電源回路１１０に接続可能であり、停電時、主スイッチ１１３のオンオフ状態を検出する主スイッチ状態検出回路２０によって、主スイッチ１１３がオンであると検出されると、補助電源起動スイッチ１２をオンに切り替える補助電源スイッチ切替回路３０を備える。【選択図】図１
2020119872.tif 000002
【特許請求の範囲】
【請求項１】
負荷に電力を供給可能な補助電源と、前記補助電源を起動する補助電源起動スイッチを含む補助電源回路と、
前記負荷への電力の供給の有無を切り替えるための主スイッチの操作に応じて商用電源から前記負荷への電力供給が制御される主電源回路に接続可能であり、停電時、前記主スイッチのオンオフ状態を検出する主スイッチ状態検出回路と、
前記主スイッチ状態検出回路によって、前記主スイッチがオンであることが検出された場合、前記補助電源起動スイッチをオンに切り替える補助電源スイッチ切替回路と、
を備える停電時電力供給装置。
【請求項２】
前記主スイッチ状態検出回路は、前記主スイッチのオンオフ状態に応じて切り替わる第一のスイッチング素子を含み、
前記補助電源スイッチ切替回路は、前記第一のスイッチング素子のオンオフ状態に応じて切り替わる第二のスイッチング素子を含む、請求項１に記載の停電時電力供給装置。
【請求項３】
前記負荷は照明手段である請求項１又は２に記載の停電時電力供給装置。
【請求項４】
前記照明手段は、前記補助電源回路と接続される請求項３に記載の停電時電力供給装置。
【請求項５】
商用電源に接続されると共に、照明手段と、前記照明手段を点灯させるための主スイッチとを含み、商用電源から前記照明手段へ電力を供給する主電源回路と、
照明手段に電力を供給可能な補助電源と、前記補助電源を起動する補助電源起動スイッチを含む補助電源回路と、
前記主電源回路に接続され、停電時、前記主スイッチのオンオフ状態を検出する主スイッチ状態検出回路と、
前記主スイッチ状態検出回路によって、前記主スイッチがオンであることが検出された場合、前記補助電源起動スイッチをオンに切り替える補助電源スイッチ切替回路と、
を備える照明装置。
【請求項６】
前記第一の照明点灯回路は、非停電時、前記補助電源起動スイッチをオフするよう制御する補助電源スイッチ制御手段を含む、請求項５に記載の照明装置。
【請求項７】
前記主電源回路と、前記商用電源に接続される他の負荷を含む回路とが、前記商用電源と並列に接続される、請求項５又は６に記載の照明装置。
【発明の詳細な説明】
【技術分野】
【０００１】
本発明は、停電時電力供給装置及び照明装置に関する。
【背景技術】
【０００２】
室内の天井部などに備え付けられると共に、商用電源からの電力を受けて点灯する照明器具に関して、停電時に商用電源からの電力が途絶えた際、例えば一次電池や二次電池のような直流の補助電源を起動させ照明器具を点灯させる技術が、従来から開発されている。このような、停電時の照明器具の点灯制御に関して、例えば、下記の特許文献１の照明器具が提案されている。
【０００３】
特許文献１に開示の照明器具は、商用電源に接続された電源スイッチと、電源スイッチの操作の有無に拘わらず、常時所定の電源電圧を出力するために電源スイッチに取り付けられたモーメンタリースイッチ機能を有する操作変換器と、ＤＣ電源回路と、照明用の発光素子に駆動電流を供給する電流回路と、非常用電源回路と、電源スイッチの操作に関連し、ＤＣ電源回路の出力電圧から出力信号が供給される電流回路制御用回路と、電源スイッチの出力側で且つＤＣ電源回路の入力側に接続され、停電時に発光素子に駆動電圧を供給する停電検知回路とを備える。
【先行技術文献】
【特許文献】
【０００４】
【特許文献１】特許第６３５６３２１号公報
【発明の概要】
【発明が解決しようとする課題】
【０００５】
ところで、室内に備え付けられる照明器具は、シーソースイッチやオルタネートスイッチ等の所謂壁スイッチを介して、商用電源ラインと接続されており、壁スイッチのオンオフに基づき、点灯・消灯が操作される。壁スイッチがオンされて照明器具が点灯状態にある場合に停電が起これば、直ぐに照明器具を点灯状態に戻す必要がある一方で、壁スイッチがオフされて照明器具が消灯状態にある場合、停電時、必ずしも照明器具を点灯させる必要はない。
【０００６】
このように、停電が起こっても、照明器具を点灯させる必要がない状況であっても、補助電源を起動し、一律に照明器具を点灯させてしまうと、停電後、無駄な電力が消費されることとなる。前記した特許文献１に開示の照明器具において、そのような点を考慮した停電時の照明点灯動作制御の手段を開示しない。
【０００７】
また、特許文献１に開示の照明器具は、電源スイッチ（壁スイッチ）に操作変換器といった電気機器を別途備え付ける必要があり、製造コストが高騰するおそれがある。更に、特許文献１に開示の照明器具は、例えば、ＤＣ電源回路の出力を監視し、発光素子に駆動電流を供給する電流回路からの出力電流を制御する電流回路制御用回路を設けるなど、複雑な回路構成が採用されている。
【０００８】
上記課題に鑑み、本発明は、シンプルな回路構成でありながら、停電が生じて照明器具（照明手段）などの負荷に対して商用電源からの電力供給が途絶えた場合であっても、不必要に負荷に電力を供給しない停電時電力供給装置及び照明装置を提供することを目的とする。
【課題を解決するための手段】
【０００９】
本発明に係る停電時電力供給装置は、負荷に電力を供給可能な補助電源と、前記補助電源を起動する補助電源起動スイッチを含む補助電源回路と、前記負荷への電力の供給の有無を切り替えるための主スイッチの操作に応じて商用電源から前記負荷への電力供給が制御される主電源回路に接続可能であり、停電時、前記主スイッチのオンオフ状態を検出する主スイッチ状態検出回路と、前記主スイッチ状態検出回路によって、前記主スイッチがオンであることが検出された場合、前記補助電源起動スイッチをオンに切り替える補助電源スイッチ切替回路と、を備えることを特徴とする。
【００１０】
本発明にかかる停電時電力供給装置によれば、例えば壁スイッチのような主スイッチのオンオフ状態を検出する主スイッチ状態検出回路と、主スイッチ状態検出回路により主スイッチのオン状態が検出されると補助電源を起動する補助電源起動回路により、停電時、照明手段などの負荷に電力を供給する（照明手段を点灯させる）構成であるため、非常にシンプルな構成で停電時に負荷に電力を供給できると共に、停電時に主スイッチがオフ状態の場合、負荷に電力を供給しないため、無駄な電力消費を避けることができる。
【００１１】
また、本発明に係る停電時電力供給装置において、前記主スイッチ状態検出回路は、前記主スイッチのオンオフ状態に応じて切り替わる第一のスイッチング素子を含み、前記補助電源スイッチ切替回路は、前記第一のスイッチング素子のオンオフ状態に応じて切り替わる第二のスイッチング素子を含むことが好ましい。
【００１２】
この態様の停電時電力供給装置によれば、更にシンプルな回路構成を用いて、停電発生から極力タイムロス無く、負荷に電力を供給することができる。
【００１３】
また、本発明に係る停電時電力供給装置では、前記負荷は照明手段であり、前記照明手段は、前記補助電源回路と接続されることが好ましい。
【００１４】
この態様の停電時電力供給装置によれば、例えば室内の天井に照明手段を新規に設置又は天井に既設の使用済み照明と照明手段を交換し、主スイッチ状態検出回路や補助電源スイッチ切替回路を主電源回路に接続するなどの簡易な作業のみで設置を完了することができる。そのため、設置時、主電源回路を組み直したり別の装置を導入するなどの重作業を特別行わなくても、過度な手間なく停電時照明点灯装置を室内に設置することができる。
【００１５】
また、本発明に係る照明装置は、商用電源に接続されると共に、照明手段と、前記照明手段を点灯させるための主スイッチとを含み、商用電源から前記照明手段へ電力を供給する主電源回路と、照明手段に電力を供給可能な補助電源と、前記補助電源を起動する補助電源起動スイッチを含む補助電源回路と、前記主電源回路に接続され、停電時、前記主スイッチのオンオフ状態を検出する主スイッチ状態検出回路と、前記主スイッチ状態検出回路によって、前記主スイッチがオンであることが検出された場合、前記補助電源起動スイッチをオンに切り替える補助電源スイッチ切替回路と、を備えることを特徴とする。
【００１６】
本発明にかかる照明装置によれば、例えば壁スイッチのような主スイッチのオンオフ状態を検出する主スイッチ状態検出回路と、主スイッチ状態検出回路により主スイッチのオン状態が検出されると補助電源を起動する補助電源回路により、停電時、照明手段を点灯させる構成であるため、非常にシンプルな構成で停電時に照明手段を点灯できると共に、停電時に主スイッチがオフ状態の場合、照明手段を点灯させないため、無駄な電力消費を避けることができる。
【００１７】
更に、本発明に係る照明装置は、前記第一の照明点灯回路は、非停電時、前記補助電源起動スイッチをオフするよう制御する補助電源スイッチ制御手段を含むことが好ましい。
【００１８】
この態様の照明装置によれば、別段複雑な回路構成を用いることなく、非停電時に補助電源からの電力が照明手段に供給されることを防ぐことができる。そのため、無駄な電力消費を避け、主スイッチがオフであるにも関わらず、照明手段が点灯するなどの事態を防ぐことができる。
【００１９】
更に、本発明に係る照明装置は、前記主電源回路と、前記商用電源に接続される他の負荷を含む回路とが、前記商用電源と並列に接続されることが好ましい。
【００２０】
この態様の照明装置によれば、停電時、照明手段を点灯させる際、照明手段が備え付けられる建物に既に設けられている他の回路（負荷）を有効利用することができる。
【発明の効果】
【００２１】
本発明によれば、シンプルな回路構成でありながら、停電が生じて照明器具（照明手段）などの負荷に対して商用電源からの電力供給が途絶えた場合であっても、不必要に負荷に電力を供給しない（照明器具を点灯させない）停電時電力供給装置及びそれを備える照明装置を提供することができる。
【図面の簡単な説明】
【００２２】
【図１】本発明の停電時電力供給装置の一実施形態に係る停電時照明点灯装置及び照明点灯装置の構成概略図。
【図２】本実施形態に係る停電時照明点灯装置の回路図。
【図３】本実施形態に係る停電時照明点灯装置及び照明装置の動作を説明するフローチャート。
【発明を実施するための形態】
【００２３】
以下、添付図面を参照して本発明の望ましい実施形態を詳細に説明する。但し、本発明は多くの異なる態様で実施することが可能であり、以下に示す実施の形態の記載内容に限定して解釈されるものではない。
【００２４】
図１を参照して、本発明に係る停電時電力供給装置及びそれを備えた照明装置の一実施形態に係る停電時照明点灯装置１を説明する。ここで、図１は、停電時照明点灯装置１や後述する照明装置１００の構成概略図である。図１に示されるように、本実施形態に係る停電時照明点灯装置１は、補助電源回路１０、主スイッチ状態検出回路２０、補助電源スイッチ切替回路３０を備える。また、停電時照明点灯装置１は、補助電源回路１０、主スイッチ状態検出回路２０、補助電源スイッチ切替回路３０、及び後述する補助電源１１等を収めるケース（図示しない）を更に備えていてもよい。この場合、補助電源回路１０、主スイッチ状態検出回路２０、補助電源スイッチ切替回路３０及びこれらの回路に含まれる各種素子は、例えば一枚のプリント基板に実装された状態で前記ケースに収められていてもよい。
【００２５】
更に、停電時照明点灯装置１は、ケース内の回路と接続されるプラグＰＬを介して、例えば、室内壁面に埋設される所謂壁コンセントに差し込み可能であってもよい。このように、プラグＰＬを介して停電時照明点灯装置１を壁コンセントに差し込み可能とすることで、室内に既設された各種設備を有効に用いて、停電時照明点灯装置１を作動させることができる。ただし、停電時照明点灯装置１は、この態様に限定されない。
【００２６】
本実施形態に係る停電時照明点灯装置１は、後述する照明手段１１２（例えば、室内の天井に設置可能な直管型ＬＥＤ照明等）と一体化されることが好ましい（この場合、照明手段１１２を含むものを「停電時照明点灯装置１」と言う。）。このような態様とすることで、照明手段１１２を天井に新規に設置又は照明手段１１２を天井に既設の使用済み照明と交換し、主スイッチ状態検出回路２０や補助電源スイッチ切替回路３０を主電源回路１１０（電源ライン）に接続する簡易な作業のみで、設置を完了することができる。そのため、設置時、主電源回路１１０（電源ライン）を組み直したり別の装置を導入するなどの重作業を特別行わなくても、過度な手間なく停電時照明点灯装置１を室内に設置することができる。
【００２７】
次に、停電時照明点灯装置１の構成をより詳細に説明する。まず、停電時照明点灯装置１における補助電源回路１０は、図１に示されるように、負荷である照明手段１１２（例えば、ＬＥＤ照明など）と接続される回路であり、一次電池や二次電池等の直流の補助電源１１と、補助電源１１のオンオフを切り替えて、補助電源１１を起動する補助電源起動スイッチ１２を含む。また、補助電源回路１０は、補助電源起動スイッチ１２がオンされた場合に、所定の定電圧を出力するレギュレータ１３を更に含んでもよい。
【００２８】
次に、停電時照明点灯装置１における主スイッチ状態検出回路２０は、例えば前述のプラグＰＬを介して、主電源回路１１０と接続される回路であり、停電時、商用電源１１１からの電力が途絶えた際に、回路内に流れる電流状態によって、主電源回路１１０に含まれる主スイッチ１１３（例えば、室内壁面に設置されるシーソースイッチやオルタネートスイッチ等の所謂壁スイッチなど）のオンオフ状態を検出する。
【００２９】
より詳しくは、主スイッチ状態検出回路２０や主スイッチ１１３と共に、商用電源１１１と接続された他の負荷（例えば、図１の負荷Ｌ１，Ｌ２，Ｌ３，・・・，Ｌｎのうちの少なくとも一つ）を含む回路において、主スイッチ１１３がオンされると、前記回路が閉状態となり、主スイッチ状態検出回路２０に電流が流れる。これにより、主スイッチ状態検出回路２０は、主スイッチのオン状態を検出する。これに対して、主スイッチ１１３がオフされていると、前記回路は開状態となり、主スイッチ状態検出回路２０に電流が流れない。これにより、主スイッチ状態検出回路２０は、主スイッチのオフ状態を検出する。
【００３０】
このように、主スイッチ状態検出回路２０は、既設の主電源回路１１０や、これに接続される他の負荷を利用して、主スイッチ１１３のオンオフ状態を検出できる。そのため、主スイッチ１１３のオンオフを検出するための専用の回路設備等を別途設ける必要がなく、設置コストを低減することができる。なお、主スイッチ状態検出回路２０の回路詳細に関しては、後述する。
【００３１】
次に、停電時照明点灯装置１における補助電源スイッチ切替回路３０は、前記した主スイッチ状態検出回路２０と接続される回路であり、停電時、主スイッチ状態検出回路２０による主スイッチ１１３のオン状態の検出に連動して、補助電源回路１０の補助電源起動スイッチ１２をオンするように動作する。なお、補助電源スイッチ切替回路３０の回路詳細に関しては、後述する。
【００３２】
このように、停電時照明点灯装置１は、主スイッチ状態検出回路２０と補助電源スイッチ切替回路３０を含むことで、停電時に主スイッチ１１３がオフされている状況（例えば、停電の際、室内に入室者がおらず、照明手段１１２が使用されていない状況等）において、改めて照明手段１１２を点灯させない。そのため、停電後、不必要に電力が消費されることを有効に防止することができる。
【００３３】
次に、図１に示される照明装置１００は、前述した停電時照明点灯装置１と、商用電源１１１に接続される主電源回路１１０とを含む。ここで、停電時照明点灯装置１と主電源回路１１０とは、前述のように、プラグＰＬやコンセント等を介して接続される。
【００３４】
図１に示されるように、主電源回路１１０は、照明手段１１２、主スイッチ１１３の他、商用電源１１１からの交流電力を直流電力に変換するＡＣ／ＤＣ変換器１１４、所定の定電圧を照明手段１１２に供給するレギュレータ１１５を更に含む。本実施形態における照明手段１１２は、例えば、主スイッチ１１３と同室に設けられ、主スイッチ１１３のオンオフの切り替えで点灯・消灯が操作される天井照明を想定するが、これに限られない。照明手段１１２の他の例として、主電源回路１１０と接続する室内コンセントに電源コードが差し込まれ、そこから電力が供給されるスタンド型照明などが挙げられる。
【００３５】
また、図１に示されるように、前記した他の負荷Ｌ１，Ｌ２，Ｌ３，・・・，Ｌｎの夫々は、主電源回路１１０に対して、商用電源１１１に並列に接続される。特に限定されるものではないが、負荷の例として、主電源回路１１０と接続する室内コンセントに電源コードが差し込まれて動作する各種家電製品や、例えば、同じく室内コンセントに差し込まれて使用される抵抗装置などが挙げられる。
【００３６】
次に、図２を参照して、本実施形態に係る停電時照明点灯装置１（特に、主スイッチ状態検出回路２０や補助電源スイッチ切替回路３０）の回路構成の一例を説明する。図２は、停電時照明点灯装置１の回路図の一例である。
【００３７】
図２に示されるように、本実施形態における主スイッチ状態検出回路２０は、ｐｎｐ型のバイポーラトランジスタ２１を含む。このトランジスタ２１のベース端子は、主電源回路１１０の主スイッチ１１３と接続されている。同じく図２に示されるように、本実施形態における補助電源スイッチ切替回路３０は、ｎｐｎ型のバイポーラトランジスタ３１を含む。このトランジスタ３１のベース端子は、前記したトランジスタ２１のコレクタ端子と接続される。
【００３８】
主スイッチ１１３がオフ状態であると、主電源回路１１０の負荷Ｌｎを含む回路部、主スイッチ状態検出回路２０（トランジスタ２１）、及び補助電源スイッチ切替回路３０（トランジスタ３１）を含む閉ループＣＲ１が形成される。この状態で、トランジスタ２１にベース電流が流れると、トランジスタ２１がオンされて、そのエミッタ端子−コレクタ端子間に電流が流れる。これにより、主スイッチ１１３のオン状態が検出される。
【００３９】
更に、トランジスタ２１のコレクタ端子を介して、トランジスタ３１にベース電流が流れる。これにより、トランジスタ３１がオンされて、そのコレクタ端子−エミッタ端子間に電流が流れる。なお、特に限定されるものではないが、本実施形態の補助電源１１は、トランジスタ２１のエミッタ端子及びトランジスタ３１のコレクタ端子の各々とも接続されており、トランジスタ２１のエミッタ端子及びトランジスタ３１のコレクタ端子に流れる電流の電流源としても機能する。
【００４０】
更に、図２に示されるように、トランジスタ３１のコレクタ端子は、補助電源回路１０の起動スイッチとして機能する接合形ＦＥＴ１２のゲート端子と接続されており、トランジスタ３１のオン動作に連動して、接合形ＦＥＴ１２がオンされる。これにより、補助電源スイッチ切替回路３０は、補助電源起動スイッチ（接合形ＦＥＴ１２）をオンに切り替える。
【００４１】
最終的には、接合形ＦＥＴ１２のオン動作に連動して、補助電源回路１０に含まれるレギュレータ１３が起動し、レギュレータ１３に接続される照明手段１１２に直流電力が供給される。このような態様とすることで、非常にシンプルな回路構成でありながら、トランジスタ２１，３１が瞬時にオンに切り替わり、停電発生からタイムロス無く照明手段１１２を点灯させることができる。
【００４２】
ただし、主スイッチ状態検出回路２０のスイッチング素子の種類は、バイポーラトランジスタに限られず、接合形ＦＥＴやＭＯＳ−ＦＥＴ等の半導体スイッチング素子、並びにリレー等の他の種類のスイッチング素子であってもよい（主スイッチ状態検出回路２０に設けられるスイッチング素子を「第一のスイッチング素子」と言う場合がある。）。同様に、補助電源スイッチ切替回路３０のスイッチング素子の種類も、バイポーラトランジスタに限られず、接合形ＦＥＴやＭＯＳ−ＦＥＴ等の半導体スイッチング素子、並びにリレー等の他の種類のスイッチング素子であってもよい（補助電源スイッチ切替回路３０に設けられるスイッチング素子を「第二のスイッチング素子」と言う場合がある。）。更に、補助電源回路１０のスイッチの種類も、接合形ＦＥＴ等の半導体スイッチング素子に限られず、他の種類のスイッチング素子であってもよい。
【００４３】
なお、図１及び図２に示されるように、主電源回路１１０に含まれるレギュレータ１１５の出力側の一端子を接合形ＦＥＴ１２のゲート端子と接続し、レギュレータ１１５の起動の際（すなわち非停電時）、レギュレータ１１５から接合形ＦＥＴ１２をオフするゲート電圧を印加するようにしてもよい。特に限定されないが、本実施形態の接合形ＦＥＴ１２において、ゲート電圧のＬＯＷ状態がオンに対応し、ＨＩＧＨ状態がオフに対応する。
接合形ＦＥＴ１２がオフされると、これに接続する補助電源回路１０のレギュレータ１３が切れ、補助電源１１から照明手段１１２へ電力が供給されない状態となる。
【００４４】
これにより、別段複雑な回路構成を用いることなく、非停電時に補助電源１１からの電力が照明手段１１２に供給されることを防ぎ、主スイッチ１１３がオフであるにも関わらず、照明手段１１２が点灯するなどの事態を防ぐことができる。すなわち、本実施形態に係る停電時照明点灯装置１は、更なる節電効果を有する。なお、図２に示されるトランジスタ３１のエミッタ端子と接続する抵抗Ｒ２は、レギュレータ１１５が起動して、接合形ＦＥＴ１２をオンするために設けられるものである。
【００４５】
次に、図３を参照して、本実施形態に係る停電時照明点灯装置１の動作を説明する。図３は、停電時照明点灯装置１及び照明装置１００の動作を示すフローチャートである。まず、停電が生じて、商用電源１１１からの電力が停止する（Ｓ１０）と、主スイッチ１１３がオンの場合、主スイッチ状態検出回路２０のトランジスタ２１にベース電流が流れ、トランジスタ２１がオンする（Ｓ２１）。
【００４６】
また、トランジスタ２１のオンに伴い、トランジスタ２１のコレクタ端子を介して、補助電源スイッチ切替回路３０のトランジスタ３１にベース電流が流れる（Ｓ３０）。これにより、トランジスタ３１がオンされ、更に、トランジスタ３１のコレクタ端子と接続される補助電源回路１０の接合型ＦＥＴ１２がオンされる（Ｓ４０）。その結果、補助電源回路１０を介して、補助電源１１から照明手段１１２へ電力が供給され、照明手段１１２が点灯する（Ｓ５０）。
【００４７】
これに対して、停電時に主スイッチ１１３がオフの場合、前記した閉ループＣＲ１が形成されないため、主スイッチ状態検出回路２０のトランジスタ２１にベース電流が流れない（Ｓ２２）。それに伴い、補助電源スイッチ切替回路３０のトランジスタ３１及び補助電源回路１０の接合型ＦＥＴ１２も、オンされない。そのため、補助電源１１から照明手段１１２へ電力が供給されず、照明手段１１２は点灯しない（Ｓ６０）。
【００４８】
上記実施形態では、本発明における補助電源の電力が供給される負荷が照明手段（照明装置）１１２である場合を示したが、補助電源の電力が供給される負荷は、照明手段には限らず、他の電気機器や装置であってもよい。
【００４９】
以上、本発明の実施形態について説明した。ただし、上記説明は本発明の理解を容易にするためのものであり、本発明を限定する趣旨で記載されたものではない。本発明には、その趣旨を逸脱することなく、変更、改良され得るものを含む。また、本発明にはその等価物が含まれる。
【符号の説明】
【００５０】
１            停電時照明点灯装置
１０          補助電源回路
１１          補助電源
１２          補助電源起動スイッチ（接合形ＦＥＴ）
１３          レギュレータ
２０          主スイッチ状態検出回路
２１          第一のスイッチング素子（バイポーラトランジスタ）
３０          補助電源スイッチ切替回路
３１          第二のスイッチング素子（バイポーラトランジスタ）
１００        照明装置
１１０        主電源回路
１１１        商用電源
１１２        照明手段
１１３        主スイッチ（壁スイッチ）
１１４        ＡＣ／ＤＣ変換器
１１５        レギュレータ
【図１】
2020119872.tif 000003
【図２】
2020119872.tif 000004
【図３】
2020119872.tif 000005